(57)【要約】【課題】防水機能を維持しつつメモリカードの着脱が容易な携帯電話機を提供する。【解決手段】携帯情報処理端末の一態様である携帯電話機１００は、データが予め格納され、かつ、着脱可能な第１の記憶装置２１０を格納するための第１のコネクタ１４０と、データを格納するための着脱可能な第２の記憶装置２２０を格納するための第２のコネクタ１５０とを備える。第１のコネクタ１４０は、第２のコネクタ１５０と、携帯情報処理端末の基板との間に配置されている。第１のコネクタ１４０と、第２のコネクタ１５０との間に、第２の記憶装置２２０の装着を補助するためのガイド部が形成されている。【選択図】図１
2012039377.tif 000002
【特許請求の範囲】
【請求項１】
携帯情報処理端末であって、
データが予め格納され、かつ、着脱可能な第１の記憶装置を格納するための第１のコネクタと、
データを格納するための着脱可能な第２の記憶装置を格納するための第２のコネクタとを備え、
前記第１のコネクタは、前記第２のコネクタと、前記携帯情報処理端末の基板との間に配置され、
前記第１のコネクタと、前記第２のコネクタとの間に、前記第２の記憶装置の装着を補助するためのガイド部が形成されている、携帯情報処理端末。
【請求項２】
前記第２のコネクタに形成されて前記第２の記憶装置の装着を受け付けるための開口部は、前記携帯情報処理端末の電池の装着部に向けられている、請求項１に記載の携帯情報処理端末。
【請求項３】
前記ガイド部は、前記第２のコネクタを構成する面のうち、前記第２の記憶装置と前記第１の記憶装置との間の面に設けられている、請求項１または２に記載の携帯情報処理端末。
【請求項４】
前記ガイド部には、第１の突起部と、第２の突起部とが形成されている、請求項１から３のいずれか１項に記載の携帯情報処理端末。
【請求項５】
前記第２の記憶装置が前記第２のコネクタに装着されているときに、前記第１の突起部と前記第２の突起部とは、前記第２の記憶装置の下に位置する、請求項４に記載の携帯情報処理端末。
【請求項６】
前記第１の記憶装置および前記第２の記憶装置の上下関係を示す表示が、前記携帯情報処理端末に形成されている、請求項１から５のいずれか１項に記載の携帯情報処理端末。
【請求項７】
前記第１の記憶装置の装着方向を示す表示が、前記携帯情報処理端末に形成されている、請求項１から６のいずれか１項に記載の携帯情報処理端末。
【請求項８】
前記第２のコネクタは、前記第１のコネクタよりも小さい、請求項１から７のいずれか１項に記載の携帯情報処理端末。
【請求項９】
前記第１のコネクタと前記第２のコネクタとの間に、前記ガイド部が設けられた板部材をさらに備える、請求項１に記載の携帯情報処理端末。
【請求項１０】
前記ガイド部は、前記第１のコネクタを構成する面のうち、前記第２の記憶装置と前記第１の記憶装置との間の面に設けられている、請求項１に記載の携帯情報処理端末。
【発明の詳細な説明】
【技術分野】
【０００１】
本発明は、携帯情報処理端末に関し、詳しくは、少なくとも２つの着脱可能な記憶装置、もしくは、少なくとも２つの記憶素子が着脱可能な記憶装置を有する携帯情報処理端末に関する。
【背景技術】
【０００２】
携帯情報処理端末の一つである携帯電話機は、ＳＩＭ（Subscriber Identity Module）カードを有している。また、多くの携帯電話機では、データを保存するための着脱可能なメモリカードを使用することができる。メモリカードを着脱する頻度は、ＳＩＭカードを着脱する頻度よりも高い。また、ＳＩＭカードが携帯電話機の動作時に着脱できないように、ＳＩＭカードのコネクタは、ＳＩＭカード着脱時、ＳＩＭカードが電池を装着するスペースを使用する位置に設けられることが多い。一方、メモリカードのコネクタは、データの入出力の利便性を考慮して、携帯電話機の筐体の外部よりメモリーカードが着脱できる様に設けられることが多い。
【０００３】
カードの装着に関し、たとえば、特開２００２−３２７１５号公報（特許文献１）は、複数の種類のメモリカードを装着できる装置を開示している。
【先行技術文献】
【特許文献】
【０００４】
【特許文献１】特開２００２−３２７１５号公報
【発明の概要】
【発明が解決しようとする課題】
【０００５】
ところで、近年、防水型の携帯電話機も普及しつつある。この型の携帯電話機では、防水のため、ＳＩＭカードのコネクタに加えて、メモリカードのコネクタも、カードの着脱時、電池を装着するスペースを使用する位置に設けられることがある。この場合、装着のためにメモリカードをコネクタに差し込むとき、コネクタに適切に差し込めない場合がある。コネクタの開口部が筐体の外部に形成されている場合と異なり、開口部の位置を視認しにくいためである。また、メモリカードがコネクタに差し込めない場合には、メモリカードが筐体に当たり、メモリカードまたは筐体が損傷する恐れがある。
【０００６】
そのため、メモリカードの装着を容易にすることが求められている。
【課題を解決するための手段】
【０００７】
一実施の形態に従う携帯情報処理端末は、データが予め格納され、かつ、着脱可能な第１の記憶装置を格納するための第１のコネクタと、データを格納するための着脱可能な第２の記憶装置を格納するための第２のコネクタとを備える。第１のコネクタは、第２のコネクタと、携帯情報処理端末の基板との間に配置されている。第１のコネクタと、第２のコネクタとの間に、第２の記憶装置の装着を補助するためのガイド部が形成されている。
【０００８】
好ましくは、第２のコネクタに形成されて第２の記憶装置の装着を受け付けるための開口部は、携帯情報処理端末の電池の装着部に向けられている。
【０００９】
好ましくは、ガイド部は、第２のコネクタを構成する面のうち、第２の記憶装置と第１の記憶装置との間の面に設けられている。
【００１０】
好ましくは、ガイド部には、第１の突起部と、第２の突起部とが形成されている。
好ましくは、第２の記憶装置が第２のコネクタに装着されているときに、第１の突起部と第２の突起部とは、第２の記憶装置の下に位置する。
【００１１】
好ましくは、第１の記憶装置および第２の記憶装置の上下関係を示す表示が、携帯情報処理端末に形成されている。
【００１２】
好ましくは、第１かつ第２、または、第１または第２のどちらか一方の記憶装置の装着方向を示す表示が、携帯情報処理端末に形成されている。
【００１３】
好ましくは、第２のコネクタは、第１のコネクタよりも小さい。
好ましくは、携帯情報処理端末は、第１のコネクタと第２のコネクタとの間に、ガイド部が設けられた構造物（たとえば、板状の部材）をさらに備える。
【００１４】
好ましくは、ガイド部は、第１のコネクタを構成する面のうち、第２の記憶装置と第１の記憶装置との間の面に設けられている。
【発明の効果】
【００１５】
一実施の形態によると、第２のコネクタに装着される記憶装置の着脱が容易になる。
この発明の上記および他の目的、特徴、局面および利点は、添付の図面と関連して理解されるこの発明に関する次の詳細な説明から明らかとなるであろう。
【図面の簡単な説明】
【００１６】
【図１】本発明の実施の形態に係る携帯情報処理端末の一態様である携帯電話機１００の裏面を表わす図である。
【図２】ＳＩＭカードとメモリカードの上下関係を表わす図である。
【図３】携帯電話機１００が有する基板３００におけるコネクタ１４０およびコネクタ１５０の取付態様を表わす図である。
【図４】コネクタ１５０を上下および左右から見た状態を表わす図である。
【図５】コネクタ５５０と、コネクタ１４０との上下関係を表わす図である。
【図６】第１の変形例に係る第１のコネクタおよび第２のコネクタの配置を表わす図である。
【図７】構造物６００を上から表した図である。
【図８】第２の変形例に係るコネクタの取付態様を表わす図である。
【図９】コネクタ７４０を上から表した図である。
【図１０】第３の変形例に係るコネクタ８００を上から表した図である。
【図１１】第４の変形例に係るコネクタ９００の外観を表わす図である。
【図１２】コネクタに形成されるガイドと、第２の記憶装置２２０との位置関係を表す図である。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
＜携帯情報処理端末の構成＞
図１を参照して、本発明の実施の形態に係る携帯情報処理端末の構成について説明する。図１は、携帯情報処理端末の一態様である携帯電話機１００の電池を着脱する面を表わす図である。なお、携帯情報処理端末は、携帯電話機１００に限られず、ＰＤＡ（Personal Digital Assistant）その他の情報処理端末であればよい。
【００１９】
携帯電話機１００は、筐体１１０を備える。筐体１１０は、電池スペース１２０と、端子１３０と、コネクタ１４０と、コネクタ１５０と、を備える。電池スペース１２０には、アイコン１６０，１７０，１８０が表示されている。携帯電話機１００は、たとえば、防水機能を有する。防水機能は、たとえば、筐体の密閉構造、電池スペース１２０に取り付けられる蓋（図示しない）にゴムパッキンを取り付けること等により実現される。
【００２０】
コネクタ１４０は、着脱可能な第１の記憶装置を格納するためのコネクタである。第１の記憶装置には、データが予め格納されている。第１の記憶装置は、たとえば、ＳＩＭ（Subscriber Identity Module）カードであるが、これに限られない。少なくとも、記憶装置であればよい。
【００２１】
第２のコネクタは、データを格納するための着脱可能な第２の記憶装置を格納するためのコネクタである。第２の記憶装置は、たとえば、microＳＤ（Secure Digital）カード、メモリスティック、ＣＦ（Compact  Flash）カード、ｘＤピクチャーカード、その他のメモリカードである。
【００２２】
コネクタ１５０は、コネクタ１４０と、携帯電話機１００の基板（図示しない）との間に配置される。コネクタ１４０とコネクタ１５０との間には、第２の記憶装置の装着を補助するためのガイド１５２，１５３が形成されている。
【００２３】
端子１３０は、電池スペース１２０に取り付けられる充電池（図示しない）から電力の供給を受ける。なお、端子１３０は、電池スペース１２０内のその他の場所に設けられてもよい。
【００２４】
アイコン１６０は、コネクタ１４０に装着される第１の記憶装置の表裏・挿入方向を示す。アイコン１７０は、コネクタ１５０に対する第２の記憶装置の表裏・挿入方向を示す。アイコン１８０は、コネクタ１４０に第１の記憶装置を挿入する場合において、当該第１の記憶装置の挿入の目安となる位置を特定する。または、アイコン１８０は、コネクタ１５０に第２の記憶装置を挿入する場合において、当該第２の記憶装置の挿入の目安となる位置を特定する。アイコン１６０，１７０，１８０は、たとえば、電池スペース１２０に貼付されるシールに表示される。あるいは、電池スペース１２０に直接表示されてもよい。この場合、表示は、たとえば、刻印のように、筐体への成型として実現される。
【００２５】
また、他の局面において、シールあるいは刻印のような表示に代えて、基板に形成されてもよい。たとえば、基板のレジストを廃止することにより、アイコン１６０，１７０，１８０は、当該基板に直接形成されてもよい。
【００２６】
図１において、端子１３０は、コネクタ１４０に隣接する位置に設けられているが、端子１３０の位置はこの場所に限られない。たとえば、筐体１１０の長手方向に平行な電池スペース１２０の側面に設けられていてもよい。また、コネクタ１４０およびコネクタ１５０は、筐体１１０の中心線に対して左側に設けられているが、右側に設けられていてもよく、また中央に設けられてもよい。
【００２７】
さらに、コネクタ１４０とコネクタ１５０は、各々の中心を合わせるように配置されていなくてもよい。たとえば、コネクタ１４０が左側に配置され、コネクタ１５０が右側に配置されてもよく、また、この逆に配置されてもよい。このような配置により、下側に配置されるコネクタに装着される記憶装置の着脱が容易になる。たとえば、当該コネクタが記憶装置を引き出すためのトレイを有している場合、当該トレイを引き出しやすくなる。また、このような配置により、他の部品の配置場所に自由度が生じる場合には、携帯電話機１００の構成を小型化し得る。
【００２８】
＜各記憶装置の位置関係＞
図２を参照して、第１の記憶装置および第２の記憶装置の位置関係について説明する。図２は、ＳＩＭカードとメモリカードの上下関係を表わす図である。ＳＩＭカードのような第１の記憶装置２１０は、メモリカードのような第２の記憶装置２２０の下に装着される。第１の記憶装置２１０は、第２の記憶装置２２０に比べて、その出し入れの頻度が少ないため、使用頻度の高い第２の記憶装置２２０よりも下に配置される。第２の記憶装置２２０の端部には、凸状に形成された隆起部２３０が設けられている。隆起部２３０は、携帯電話機１００の使用者の爪に引っかかるように形成されているが、隆起部２３０はなくてもよい。
【００２９】
図２に示されるように、第２の記憶装置２２０と第１の記憶装置２１０とは、互いにずれるように配置されてもよく、また、いずれかの角部が重なるように配置されてもよい。それぞれがずれるように配置される場合、たとえば、各カードの挿入のために指で押される底辺部は、第１の記憶装置２１０と第２の記憶装置２２０とでそれぞれずれるようにコネクタ１４０およびコネクタ１５０は取り付けられる。このように、各カードが装着時にもずれるように配置されることで、いずれかのカードが未装着であることが容易に確認できる。
【００３０】
図３を参照して、第１のコネクタおよび第２のコネクタの上下関係についてさらに説明する。図３は、携帯電話機１００が有する基板３００におけるコネクタ１４０およびコネクタ１５０の取付態様を表わす図である。
【００３１】
コネクタ１４０は、基板３００に取り付けられる。なお、他の局面において、コネクタ１４０と基板３００との間には、構造物が設けられてもよい。また、別の局面において、コネクタ１４０と基板３００との間には、他の基板が設けられてもよい。
【００３２】
コネクタ１５０は、コネクタ１４０の上部に設置される。コネクタ１４０とコネクタ１５０との間には、構造物として板状の部材が設けられてもよい。また、図２において説明したように、第１の記憶装置２１０と第２の記憶装置２２０との取付状態が容易に確認できるように、コネクタ１４０およびコネクタ１５０は、それぞれある量の「ずれ」が設けられてもよい。この「ずれ」は、たとえば、コネクタ１４０とコネクタ１５０の長さ寸法に応じて定められる。他の局面において、当該ずれは、第１の記憶装置および第２の記憶装置のサイズに基づいて決定されてもよい。
【００３３】
図３に示されるように、ガイド１５２，１５３は、コネクタ１５０に形成されていることになるため、第２の記憶装置２２０を差し込む際に、ガイド１５２、１５３間において、第２の記憶装置２２０を指で押しやすく、第２の記憶装置２２０を押し込む操作が容易になる。また、取り出す際に、ガイド１５２、１５３間において、第２の記憶装置２２０を摘みやすいため、第２の記憶装置２２０を取り去る操作が容易になる。このため、コネクタ１５０（またはコネクタ１４０）が所謂プッシュ機構を有している場合に、装着された第２の記憶装置２２０の差し込みまたは取り出しが容易になる。また、プッシュ機構を有さない場合であっても、使用者は、ガイド１５２，１５３間に指を入れることにより第２の記憶装置２２０を容易に差し込みまたは取り出すことができる。
【００３４】
また、コネクタ１４０とコネクタ１５０の上下の位置は、特に限られず、コネクタ１４０およびコネクタ１５０のいずれもが上に配置されてもよい。なお、実際には、下に配置されるコネクタに装着される記憶装置の取り出しの容易さから、上に配置されるコネクタが下に配置されるコネクタよりも小さい方が望ましい。この場合「小さい」とは、コネクタの幅、あるいは面積等の比較における大小関係となる。
【００３５】
＜コネクタの構造＞
図４を参照して、本実施の形態に係るコネクタ１５０の構造について説明する。図４は、コネクタ１５０を上下および左右から見た状態を表わす図である。
【００３６】
図４（Ａ）に示されるように、コネクタ１５０は、保持部１５１と、ガイド１５２，１５３とを含む。保持部１５１は、コネクタ１５０に挿入される第２の記憶装置を保持する筐体として機能する。ガイド１５２，１５３は、第２の記憶装置を保持部１５１に挿入する場合における挿入開始位置の目安を表わしている。
【００３７】
図４（Ｂ）に示されるように、ガイド１５２，１５３は、たとえば保持部１５１を構成する底面の延長線上に形成されている。
【００３８】
図４（Ｃ）に示されるように、ガイド１５２，１５３は、たとえば保持部１５１の底面に形成されている。また、ガイド１５２とガイド１５３との間には、窪みが形成されており、この窪みがあることにより、保持部１５１に装着された第２の記憶装置の端部を指で掴むことができる。他の局面において、ガイド１５２とガイド１５３の間には、窪みは、なくてもよい。
【００３９】
図４（Ｄ）に示されるように、ガイド１５２，１５３は、保持部１５１の底面と一体となる状態で形成されている。なお、他の局面において、ガイド１５２，１５３は、保持部１５１とは別個のものとして構成されてもよい。
【００４０】
＜他のコネクタの構成＞
図５を参照して、本実施の形態に係るコネクタ１５０とは異なるコネクタ５５０について説明する。図５は、コネクタ５５０と、コネクタ１４０との上下関係を表わす図である。図５に示されるように、コネクタ５５０は、コネクタ１４０の上部に配置される。この位置は、本実施の形態に係るコネクタ１４０とコネクタ１５０との上下関係と同じである。しかしながら、コネクタ５５０には、ガイド１５２，１５３が形成されていない。したがって、第２の記憶装置２２０をコネクタ５５０に装着する場合、装着の位置が明確に定まらない場合がある。たとえば、第２の記憶装置２２０が誤ってコネクタ１４０に挿入される恐れもある。
【００４１】
＜まとめ＞
これに対して、図１から図４に示されるように、本実施の形態に係るコネクタ１５０によれば、ガイド１５２，１５３によって、第２の記憶装置２２０を誤ってコネクタ１４０に挿入する恐れがなくなる。また、ガイド１５２とガイド１５３との間には、凹部が形成されているため、携帯電話機１００の使用者は、第２の記憶装置２２０の端部を指でつまむこともできる。これにより、第２の記憶装置２２０の着脱が容易になる。
【００４２】
＜第１の変形例＞
以下、図６を参照して、本発明の実施の形態の第１の変形例について説明する。本変形例に係る携帯電話機は、積層される２つのコネクタの間に板状の構造物を備える点で、前述の実施の形態に係る携帯電話機１００と異なる。なお、その他の構成は、前述の実施の形態に係る携帯電話機１００と同じである。したがたって、同様の構成についての説明は、繰り返さない。
【００４３】
図６は、本変形例に係る第１のコネクタおよび第２のコネクタの配置を表わす図である。コネクタ１４０とコネクタ６５０との間には、板状の構造物６００が取り付けられる。構造物６００は、第２の記憶装置２２０の挿入を支援するように、コネクタ６５０の開口部の前方にはみ出るように取り付けられる。構造物６００の材質は特に限られない。このような構成により、コネクタ６５０の構成を変えることなく、既存のコネクタを用いることができる。
【００４４】
図７（Ａ）は、構造物６００を上から表した図である。図７（Ｂ）は、他の局面における構造物６３０を上から表した図である。図７（Ａ）に示されるように、構造物６００には、コネクタ１５０と同様に、ガイド６１０，６２０が形成されている。したがって、携帯電話機１００の使用者は、ガイド６１０とガイド６２０との間のスペースを利用して、コネクタ６５０に対して、第２の記憶装置２２０の着脱を容易に行なうことができる。図７（Ｂ）に示されるように、他の局面における構造物６３０は、構造物６００に形成されていたスペースを有さなくてもよい。
【００４５】
＜第２の変形例＞
図８を参照して、本実施の形態の第２の変形例について説明する。図８は、第２の変形例に係るコネクタの取付態様を表わす図である。本変形例においては、コネクタ７４０がガイド部を有する点で、前述の実施の形態および変形例と異なる。なお、その他の構成は、前述の実施の形態に係る携帯電話機１００と同じである。したがたって、同様の構成についての説明は、繰り返さない。
【００４６】
本変形例に係るコネクタ７４０は、基板３００の上面に配置される。コネクタ１５０は、コネクタ７４０の上面に配置される。コネクタ７４０には、ガイド７５０，７６０が形成されている。ガイド７５０，７６０が形成されている位置は、第１の記憶装置２１０がコネクタ７４０に挿入される開口部の上面であって、第１の記憶装置２１０の挿入を妨げないように上面に形成されている。
【００４７】
図９を参照して、本変形例に係るコネクタ７４０の形状について説明する。図９は、コネクタ７４０を上から表した図である。コネクタ７４０は、開口部の上部に、上述のようなガイド７５０，７６０を有する。ガイド７５０，７６０は、コネクタ１５０に挿入される第２の記憶装置２２０の取り付けを支援するように、たとえば図４に示されるガイド１５２，１５３のような形状として構成されている。
【００４８】
本変形に係るコネクタ７４０によると、コネクタ７４０に形成されたガイド７５０，７６０を利用して、第２の記憶装置２２０をコネクタ１５０に挿入することが可能となる。この場合も、ガイド７５０，７６０により、第２の記憶装置２２０が携帯電話機１００の他の部材に不必要に接触する恐れが少なくなり、容易に挿入が可能になる。
【００４９】
＜第３の変形例＞
図１０を参照して、本実施の形態の第３の変形例について説明する。図１０は、本変形例に係るコネクタ８００を上から表した図である。本変形例に係るコネクタ８００は、カードの装着を支援するガイドを１ヶ所に有する点で、前述の各コネクタと異なる。なお、その他の構成は、前述の実施の形態に係る携帯電話機１００と同じである。したがたって、同様の構成についての説明は、繰り返さない。
【００５０】
図１０に示されるように、コネクタ８００は、ガイド８１０を有する。ガイド８１０は、たとえば図４に示されるガイド１５２のように、第２の記憶装置２２０のコネクタ８００への装着を支援する。このような構成によれば、２つのガイドを用いる場合に比べて、コネクタ８００の下部に配置されるコネクタ１４０に挿入される第１の記憶装置２１０を容易に確認することができる。
【００５１】
＜第４の変形例＞
図１１を参照して、本実施の形態の第４の変形例について説明する。図１１（Ａ）から（Ｃ）は、本変形例に係るコネクタ９００の外観を表わす図である。本変形例に係るコネクタ９００は、ガイド９１０が保持部の中央付近に形成されている点で、前述の実施の形態および各変形例に係るコネクタと異なる。なお、その他の構成は、前述の実施の形態に係る携帯電話機１００と同じである。したがたって、同様の構成についての説明は、繰り返さない。
【００５２】
すなわち、図１１（Ａ），（Ｂ）に示されるように、ガイド９１０は、コネクタ９００の開口部の中央付近に設けられている。このような構成によれば、第２の記憶装置２２０の挿入の位置合せが容易になる。
【００５３】
ここで、図１２を参照して、コネクタに形成されるガイドの望ましい形について説明する。図１２（Ａ）は、本実施の形態に係るコネクタ１５０に形成されるガイド１５２，１５３と、メモリカードその他の第２の記憶装置２２０との位置関係を表す図である。図１２（Ｂ）は、他の局面におけるコネクタ１２１０と、第２の記憶装置２２０との位置関係を表す図である。
【００５４】
図１２（Ａ）に示されるように、ガイド１５２，１５３の長さは、コネクタ１５０に押し込まれた状態において第２の記憶装置２２０がコネクタ１５０からはみ出した長さよりも短いことが望ましい。このような構成によれば、第２の記憶装置２２０を抜き出す際に、第２の記憶装置２２０を押下する指１２００が、ガイド１５２，１５３に当たらなくなるため、コネクタ１５０に対する操作性が向上する。
【００５５】
一方、図１２（Ｂ）に示されるように、他の局面において、ガイド１２２０の長さが、第２の記憶装置２２０がコネクタ１２１０からはみ出した長さよりも長い場合には、第２の記憶装置２２０を抜き出す際に、指１２００がガイド１２２０にあたる。その結果、第２の記憶装置２２０を抜き出すための操作性が悪化する場合がある。
【００５６】
なお、図１２（Ａ）に示される構成は、本実施の形態の変形例にも適用可能である。
以上詳述したように、本実施の形態または変形例に係るコネクタによると、当該コネクタが他のコネクタの上に配置されている場合であっても、記憶装置の装着が容易になるため、記憶装置の損傷を防止できる。
【符号の説明】
【００５７】
１００  携帯電話機、１１０  筐体、１２０  電池スペース、１３０  端子、１４０，１５０，５５０，６５０，７４０，８００，９００，１２１０  コネクタ、１５１  保持部、１５２，１５３，６１０，６２０，７５０，７６０，８１０，９１０，１２２０  ガイド、１６０，１７０，１８０  アイコン、２１０  第１の記憶装置、２２０  第２の記憶装置、２３０  隆起部、３００  基板、６００  構造物、１２００  指。
【図１】
2012039377.tif 000003
【図２】
2012039377.tif 000004
【図３】
2012039377.tif 000005
【図４】
2012039377.tif 000006
【図５】
2012039377.tif 000007
【図６】
2012039377.tif 000008
【図７】
2012039377.tif 000009
【図８】
2012039377.tif 000010
【図９】
2012039377.tif 000011
【図１０】
2012039377.tif 000012
【図１１】
2012039377.tif 000013
【図１２】
2012039377.tif 000014